(57)【要約】【課題】  被測定水の残留塩素濃度が測定可能範囲を超えている場合に、誤った測定値の出力を回避する。【解決手段】  被測定水を薬液と反応させ、この反応による被測定水の発色度合を検出することにより被測定水の成分濃度を特定する測定装置１において、被測定水を収容する測定セル２と、前記測定セル２内へ呈色試薬を含む薬液を定量注入する薬注部３と、前記測定セル２内における被測定水の発色度合を光学的に検出する第一投受光部４および第二投受光部５と、前記第一投受光部４で検出された発色度合から被測定水の残留塩素濃度を判定するとともに、前記第二投受光部５で検出された発色度合から判定された残留塩素濃度が測定可能範囲内の値か否かを判断する演算部２７とを備える。【選択図】  図１
2007093398.tif 000002
【特許請求の範囲】
【請求項１】
被測定水を薬液と反応させ、この反応による被測定水の発色度合を検出することにより被測定水の残留塩素濃度を特定する測定方法であって、
被測定水を測定セルに貯留するステップと、
呈色試薬を含む薬液の所定量を被測定水へ添加するステップと、
第一発光波長の光を照射して被測定水の発色度合を検出し、この発色度合に基づいて、残留塩素濃度を判定するステップと、
第二発光波長の光を照射して被測定水の発色度合を検出し、この発色度合に基づいて、判定された残留塩素濃度が測定可能範囲内の値か否かを判断するステップとを含むことを特徴とする残留塩素濃度の測定方法。
【請求項２】
前記呈色試薬がジアルキルベンジジン化合物および／またはテトラアルキルベンジジン化合物であることを特徴とする請求項１に記載の成分濃度の測定方法。
【請求項３】
被測定水を薬液と反応させ、この反応による被測定水の発色度合を検出することにより被測定水の成分濃度を特定する測定装置であって、
被測定水を収容する測定セルと、
前記測定セル内へ呈色試薬を含む薬液を定量注入する薬注部と、
前記測定セル内における被測定水の発色度合を光学的に検出する第一投受光部および第二投受光部と、
前記第一投受光部で検出された発色度合から被測定水の残留塩素濃度を判定するとともに、前記第二投受光部で検出された発色度合から判定された残留塩素濃度が測定可能範囲内の値か否かを判断する演算部とを備えたことを特徴とする残留塩素濃度の測定装置。
【発明の詳細な説明】
【技術分野】
【０００１】
この発明は、残留塩素濃度の測定方法および測定装置に関し、とくに呈色反応を利用して被測定水の残留塩素濃度を測定する測定方法および測定装置に関する。
【背景技術】
【０００２】
水道水や井戸水などの生活用水，あるいはプール水には、次亜塩素酸ナトリウムなどの塩素剤が添加されている。この塩素剤は、酸化作用による殺菌や消毒などの効果を有するが、水中に懸濁物，有機物，あるいは金属イオンなどが存在すると、これらの物質との反応によって、その効果が低減する場合がある。また、前記塩素剤は、貯水タンクやプールなどの開放系において、大気中への拡散によって、その効果が経時的に失われる場合もある。このため、水中の残留塩素濃度を定期的に測定し、所定の濃度が維持されているか否かを確認する必要がある。
【０００３】
一方、精密濾過膜，限外濾過膜，逆浸透膜，あるいはナノ濾過膜などの各種濾過膜を使用する水処理システムにおいては、被処理水中に前記塩素剤が存在すると、前記濾過膜が酸化を受けて劣化しやすい。前記濾過膜が劣化すると、処理水の水質が悪化するため、通常、前記濾過膜の上流側に活性炭フィルタ装置や重亜硫酸ナトリウム（ＳＢＳ）の添加装置を設置し、前記塩素剤を除去している。この場合、前記活性炭フィルタ装置を通過した被処理水や重亜硫酸ナトリウムが添加された被処理水の残留塩素濃度を定期的に測定し、前記塩素剤が確実に除去されているか否かを確認する必要がある。
【０００４】
従来、水中の残留塩素濃度の測定には、ｏ−トリジンやＮ，Ｎ−ジエチルフェニレンジアミン（ＤＰＤ）などの呈色試薬を使用した測定法が広く利用されており、現場で被測定水の採水および測定を自動で行うことのできる光学式の測定装置も実用化されている。さらに、近年では、ＤＰＤよりも安全性に優れたジアルキルベンジジン化合物やテトラアルキルベンジジン化合物を呈色試薬に用いる測定法も提案されており、たとえば特許文献１には、ジアルキルベンジジン化合物のスルホアルキル誘導体の呈色試薬への適用が記載されている。
【０００５】
呈色試薬を用いて被測定水の残留塩素濃度を光学的に測定する場合、事前に被測定水の採水量および測定可能とする残留塩素濃度の上限値を設定し、呈色反応させる残留塩素の最大量を求めておく。測定プロセスでは、この残留塩素の最大量と当量反応する一定量の呈色試薬が被測定水へ添加されるように操作する。そして、呈色反応後の被測定水の発色度合，すなわち透過率や吸光度を測定し、あらかじめ作成された検量線に基づいて、被測定水の残留塩素濃度を特定する。
【０００６】
【特許文献１】特開２００２−３５０４１６号公報
【発明の開示】
【発明が解決しようとする課題】
【０００７】
ところで、残留塩素濃度測定の呈色試薬に用いられる化合物のうち、ジアルキルベンジジン化合物およびテトラアルキルベンジジン化合物は、発色したときに複数の波長に吸収ピークを示す化合物である。このような化合物を呈色試薬に使用する場合、通常、測定可能とする残留塩素濃度の範囲内で、所定の分解能が得られる吸収ピークの一つを選択し、この吸収ピーク付近を測定波長に設定している。しかしながら、発明者の研究によれば、被測定水の残留塩素濃度が測定可能とする上限値を超えると、呈色反応後の被測定水の発色度合および色相に変化が生じ、設定した測定波長によっては、吸収ピークが低濃度側へ
シフトする現象が見られることが判明した。このため、従来の測定プロセスでは、被測定水の残留塩素濃度が測定可能範囲を超えているにも関わらず、測定可能範囲で作成した検量線に基づいて、誤った測定値を出力してしまうと云う問題があった。
【０００８】
この発明は、前記の事情に鑑みてなされたもので、その解決しようとする課題は、被測定水の残留塩素濃度が測定可能範囲を超えている場合に、誤った測定値の出力を回避することである。
【課題を解決するための手段】
【０００９】
この発明は、前記課題を解決するためになされたもので、請求項１に記載の発明は、被測定水を薬液と反応させ、この反応による被測定水の発色度合を検出することにより被測定水の残留塩素濃度を特定する測定方法であって、被測定水を測定セルに貯留するステップと、呈色試薬を含む薬液の所定量を被測定水へ添加するステップと、第一発光波長の光を照射して被測定水の発色度合を検出し、この発色度合に基づいて、残留塩素濃度を判定するステップと、第二発光波長の光を照射して被測定水の発色度合を検出し、この発色度合に基づいて、判定された残留塩素濃度が測定可能範囲内の値か否かを判断するステップとを含むことを特徴としている。
【００１０】
請求項１に記載の発明によれば、前記測定セルに貯留された被測定水へ呈色試薬を含む薬液の所定量を添加すると、呈色試薬が被測定水中の残留塩素と反応して発色する。被測定水と薬液の反応が完結すると、まず第一発光波長の光を照射して被測定水の発色度合を光学的に検出し、この発色度合に基づいて、残留塩素濃度を判定する。つぎに、第二発光波長の光を照射して被測定水の発色度合を光学的に検出し、この発色度合に基づいて、判定された残留塩素濃度が測定可能範囲内の値か否かを判断する。したがって、被測定水の残留塩素濃度が測定可能範囲を超えている場合に、測定波長，すなわち第一発光波長における吸収が低濃度側へシフトするような特性を示しても、残留塩素濃度の測定値を出力することなく、無効化することができる。
【００１１】
請求項２に記載の発明は、請求項１において、前記呈色試薬がジアルキルベンジジン化合物および／またはテトラアルキルベンジジン化合物であることを特徴としている。
【００１２】
請求項２に記載の発明によれば、前記測定セルに貯留された被測定水へジアルキルベンジジン化合物および／またはテトラアルキルベンジジン化合物を含む薬液の所定量を添加すると、これらの化合物が被測定水中の残留塩素と反応して発色する。被測定水と薬液の反応が完結すると、まず第一発光波長の光を照射して被測定水の発色度合を光学的に検出し、この発色度合に基づいて、残留塩素濃度を判定する。つぎに、第二発光波長の光を照射して被測定水の発色度合を光学的に検出し、この発色度合に基づいて、判定された残留塩素濃度が測定可能範囲内の値か否かを判断する。したがって、被測定水の残留塩素濃度が測定可能範囲を超えている場合に、測定波長，すなわち第一発光波長における吸収が低濃度側へシフトするような特性を示しても、残留塩素濃度の測定値を出力することなく、無効化することができる。
【００１３】
さらに、請求項３に記載の発明は、被測定水を薬液と反応させ、この反応による被測定水の発色度合を検出することにより被測定水の成分濃度を特定する測定装置であって、被測定水を収容する測定セルと、前記測定セル内へ呈色試薬を含む薬液を定量注入する薬注部と、前記測定セル内における被測定水の発色度合を光学的に検出する第一投受光部および第二投受光部と、前記第一投受光部で検出された発色度合から被測定水の残留塩素濃度を判定するとともに、前記第二投受光部で検出された発色度合から判定された残留塩素濃度が測定可能範囲内の値か否かを判断する演算部とを備えたことを特徴としている。
【００１４】
請求項３に記載の発明によれば、被測定水は、前記測定セル内に貯留される。被測定水が貯留された前記測定セル内へは、前記薬注部から呈色試薬を含む薬液の所定量が注入される。薬液が被測定水へ添加されると、呈色試薬が被測定水中の残留塩素と反応して発色する。呈色反応による被測定水の発色度合は、まず前記第一投受光部で光学的に検出され、ついで前記第二投受光部で光学的に検出される。そして、前記演算部では、前記第一投受光部で検出された発色度合から被測定水の残留塩素濃度を判定するとともに、前記第二投受光部で検出された発色度合から判定された残留塩素濃度が測定可能範囲内の値か否かを判断する。したがって、被測定水の残留塩素濃度が測定可能範囲を超えている場合に、測定波長，すなわち前記第一投受光部の発光波長における吸収が低濃度側へシフトするような特性を示しても、残留塩素濃度の測定値を出力することなく、無効化することができる。
【発明の効果】
【００１５】
この発明によれば、被測定水の残留塩素濃度が測定可能範囲を超えている場合に、誤った測定値の出力を回避することができる。この結果、被測定水の残留塩素濃度が真に測定可能範囲内の場合にのみ測定値が出力されることになり、測定値の信頼性が確保される。
【発明を実施するための最良の形態】
【００１６】
以下、この発明の実施形態を図面に基づいて詳細に説明する。図１は、この発明に係る残留塩素濃度測定装置の概略構成図を示している。図１において、残留塩素濃度測定装置１は、測定セル２と、薬注部３と、第一投受光部４と、第二投受光部５と、制御器６とを主に備えている。
【００１７】
前記測定セル２は、不透明樹脂材料で形成された円筒状の容器であり、その側壁に一対の光透過窓部７，７が対向して形成されている。これらの各光透過窓部７には、ガラスやアクリル樹脂などの透明材料を平板状に成形した窓板８，８がそれぞれ装着されている。前記各窓板８は、とくに後述する薬液に酸，アルカリ，あるいは有機溶媒などが含まれる場合、その材料に石英ガラスを使用すると、材質劣化による破損のおそれがなく、好適である。
【００１８】
前記薬注部３は、薬液貯蔵容器９とローラポンプ１０とを主に備えている。前記薬液貯蔵容器９は、その内部に被測定水中の残留塩素と反応して発色する呈色試薬が配合された薬液が貯蔵されており、前記測定セル２の上部と薬液供給経路１１で接続されている。この薬液供給経路１１には、前記ローラポンプ１０が設けられており、このローラポンプ１０の下流側には、逆止弁１２が設けられている。前記薬液供給経路１１は、たとえば弾性材料で形成されたチューブであって、このチューブを前記ローラポンプ１０で扱くことにより、前記薬液貯蔵容器９から前記測定セル２内へ呈色試薬を含む薬液が吐出される。
【００１９】
前記第一投受光部４は、第一発光素子１３と第一受光素子１４とを備え、これらの第一発光素子１３および第一受光素子１４は、前記測定セル２の外側において、前記各光透過窓部７を挟んで対向配置されている。また、前記第二投受光部５は、第二発光素子１５と第二受光素子１６とを備え、これらの第二発光素子１５および第二受光素子１６は、前記測定セル２の外側において、前記各光透過窓部７を挟んで対向配置されている。ここで、前記各発光素子１３，１５は、たとえば発光波長の異なるＬＥＤであり、前記第一発光素子１３が第一発光波長に設定され、また前記第二発光素子１５が第二発光波長に設定されている。さらに、前記各受光素子１４，１６は、たとえばフォトダイオードである。すなわち、この実施形態における前記各投受光部４，５は、所定の発光波長に設定された光を前記各発光素子１３，１５から照射するとともに、前記測定セル２を透過した光を対応する前記各受光素子１４，１６で検出するように構成されている。
【００２０】
前記測定セル２の底部には、撹拌装置１７が設けられており、この撹拌装置１７は、攪拌子１８およびステータ１９を備えている。前記攪拌子１８は、前記測定セル２の底部において、回転可能に配置されている。前記ステータ１９は、前記攪拌子１８を取り囲むように、前記測定セル２の外側に配置されており、電磁誘導コイル（図示省略）を備えている。そして、この電磁誘導コイルへ電流を供給すると、前記攪拌子１８が回転する。
【００２１】
前記測定セル２において、前記各光透過窓部７よりも下方の側壁には、採水口２０が設けられており、この採水口２０は、給水配管や貯水タンクなどの監視対象水系（図示省略）と採水経路２１で接続されている。この採水経路２１には、前記採水口２０側から順に電磁弁２２，定流量弁２３およびフィルタ２４が設けられている。一方、前記測定セル２において、前記各光透過窓部７よりも上方の側壁には、排水口２５が設けられており、この排水口２５には、排水ピット（図示省略）へ延びる排水経路２６が接続されている。
【００２２】
前記制御器６は、前記残留塩素濃度測定装置１の動作を制御するものであり、図２に示すように、演算部２７と入出力ポート２８とを主に備えている。前記演算部２７は、中央処理装置２９（以下、「ＣＰＵ２９」と云う。），読取り専用記憶装置３０（以下、「ＲＯＭ３０」と云う。）および読み書き可能な記憶装置３１（以下、「ＲＡＭ３１」と云う。）を主に備えている。
【００２３】
前記入出力ポート２８の入力側には、操作者が動作条件などを入力するスイッチ３２および前記各受光素子１４，１６などの入力機器が接続されている。一方、前記入出力ポート２８の出力側には、測定結果などを表示する液晶ディスプレイ３３（以下、「ＬＣＤ３３」と云う。），前記ローラポンプ１０，前記各発光素子１３，１５，前記ステータ１９および前記電磁弁２２などの出力機器が接続されている。
【００２４】
前記制御器６は、前記ＲＯＭ３０に記憶させたプログラムにしたがって、前記演算部２７が前記入出力ポート２８を介して入力された各種の情報を前記ＲＡＭ３１に適宜保存しながら演算処理する。そして、前記演算部２７は、得られた演算結果に基づいて、前記入出力ポート２８を介して各種の動作指令を前記出力機器に対して出力する。
【００２５】
前記プログラムには、測定プロセスにおいて、あらかじめ前記ＲＯＭ３０に記憶された検量線に基づいて、被測定水の残留塩素濃度を判定する判定処理が組み込まれている。前記検量線は、所定の残留塩素濃度（たとえば、Ｃｌ２換算で０〜２mg／リットル）に調整された基準水に対し、呈色試薬を含む薬液との呈色反応後の透過率（または吸光度）を測定し、残留塩素濃度と透過率（または吸光度）の関係を求めたものである。ここにおいて、前記検量線は、たとえば残留塩素濃度を透過率（または吸光度）の関数で記述した判定式として記憶することができる。また、前記検量線は、たとえば残留塩素濃度に対応する透過率（または吸光度）の対応関係を記述した判定テーブルとして記憶することもできる。
【００２６】
つぎに、前記薬液貯蔵容器９内の薬液について説明する。この実施形態に係る薬液は、残留塩素濃度を測定するための一液型の組成物であり、表１に示す配合例のように、呈色試薬として、ジアルキルベンジジン化合物を含んでいる。ここで、利用可能なジアルキルベンジジン化合物としては、たとえばＮ，Ｎ’−ビス（２−スルホエチル）−３，３’−ジメチルベンジジン；Ｎ，Ｎ’−ビス（３−スルホプロピル）−３，３’−ジメチルベンジジン；Ｎ，Ｎ’−ビス（２−ヒドロキシ−２−スルホエチル）−３，３’−ジメチルベンジジン；Ｎ，Ｎ’−ビス（２−ヒドロキシ−３−スルホプロピル）−３，３’−ジメチルベンジジン；Ｎ，Ｎ’−ビス（４−スルホブチル）−３，３’−ジメチルベンジジン；Ｎ，Ｎ’−ビス（３−スルホプロピル）−Ｎ，Ｎ’−ジエチル−３，３’−ジメチルベンジジン；Ｎ，Ｎ’−ビス（２，４−ジスルホベンジル）−３，３’−ジメチルベンジジン
およびこれらのアルカリ金属塩などを挙げることができる。
【００２７】
また、残留塩素と反応して発色可能な呈色試薬として、テトラアルキルベンジジン化合物を用いることもできる。ここで、利用可能なテトラアルキルベンジジン化合物としては、たとえばＮ−（２−スルホエチル）−３，３’，５，５’−テトラメチルベンジジン；Ｎ−（３−スルホプロピル）−３，３’，５，５’−テトラメチルベンジジン；Ｎ−（４−スルホブチル）−３，３’，５，５’−テトラメチルベンジジン；Ｎ−（２−ヒドロキシ−２−スルホエチル）−３，３’，５，５’−テトラメチルベンジジン；Ｎ−（２−ヒドロキシ−３−スルホプロピル）−３，３’，５，５’−テトラメチルベンジジン；Ｎ−（２，４−ジスルホベンジル）−３，３’，５，５’−テトラメチルベンジジン；Ｎ，Ｎ’−ビス（２−スルホエチル）−３，３’，５，５’−テトラメチルベンジジン；Ｎ，Ｎ’−ビス（３−スルホプロピル）−３，３’，５，５’−テトラメチルベンジジン；Ｎ，Ｎ’−ビス（４−スルホブチル）−３，３’，５，５’−テトラメチルベンジジン；Ｎ，Ｎ’−ビス（２−ヒドロキシ−２−スルホエチル）−３，３’，５，５’−テトラメチルベンジジンおよびＮ，Ｎ’−ビス（２−ヒドロキシ−３−スルホプロピル）−３，３’，５，５’−テトラメチルベンジジン；Ｎ，Ｎ’−ビス（２，４−ジスルホベンジル）−３，３’，５，５’−テトラメチルベンジジンおよびこれらのアルカリ金属塩などを挙げることができる。ジアルキルベンジジン化合物およびテトラアルキルベンジジン化合物は、通常、単独で用いられるが、二種以上を混合して用いることもできる。
【００２８】
また、薬液は、その注入の有無を確認するために、被測定水を着色させる色素として、ニューコクシン（食用赤色１０２号）を含んでいる。さらに、この薬液は、前記残留塩素濃度測定装置１が使用される５〜５０℃の温度条件で約１年間保存した場合に、呈色試薬が発色したときの吸収ピーク付近における吸光度のバックグラウンドの上昇が抑制されるように、硫酸およびリン酸−リン酸ナトリウム系の緩衝剤を使用してｐＨ０．６に調節されている。ここで、リン酸は、被測定水中の六価クロムイオンや第二鉄イオンなどの酸化性金属イオンと錯体を形成することが可能であり、マスキング剤としての作用も有している。また、溶媒である水には、通常、蒸留水やイオン交換水などを使用する。
【００２９】
【表１】
2007093398.tif 000003
【００３０】
ところで、ジアルキルベンジジン化合物およびテトラアルキルベンジジン化合物は、酸性領域で残留塩素と反応したときに、波長３６０〜３８０nm付近，４５０〜４７０nm付近および６４０〜６６０nm付近に吸収ピークを示して、黄〜青緑色に発色する酸化発色性の呈色試薬である。前記第一発光素子１３は、これらの吸収ピークのうち、６４０〜６６０nm付近を測定波長として、この測定波長における透過光強度を検出するため、たとえば第一発光波長が６５５nmに設定された赤色ＬＥＤを使用している。また、前記第二発光素子１５は、これらの吸収ピークのうち、４５０〜４７０nm付近を参照波長として、この参照波長における透過光強度を検出するため、たとえば第二発光波長が４７０nmに設定された青色ＬＥＤを使用している。一方、ニューコクシンは、波長５０５nmに吸収ピークを示し、参照波長として設定した４５０〜４７０nm付近に極めて近い波長領域に吸収を示す色素である。すなわち、ニューコクシンによる被測定水の赤色の着色は、前記第二発光素子１５を使用することにより検出される。
【００３１】
つぎに、図３〜図５に示す動作フローチャートにしたがって、前記残留塩素濃度測定装置１における一連の測定プロセスを詳細に説明する。
【００３２】
前記残留塩素濃度測定装置１の電源が投入されると、前記演算部２７に記憶されたプログラムは、まずステップＳ１において、前記ステータ１９の電磁誘導コイル（図示省略）への通電を停止し、前記電磁弁２２を閉状態にするなどの初期設定動作を実施する。
【００３３】
プログラムは、ステップＳ２において、前記演算部２７の内部タイマーの経過時間ｔをゼロに設定し、つぎのステップＳ３において、経過時間ｔが所定時間ｔ１に到達したか否かを判断する。経過時間ｔが所定時間ｔ１になると、プログラムはステップＳ４へ移行し、経過時間ｔを再びゼロにリセットする。ここにおいて、所定時間ｔ１は、前記残留塩素濃度測定装置１の測定間隔時間に相当し、通常、０．１〜２４時間の範囲である。
【００３４】
洗浄動作
つぎに、プログラムは、ステップＳ５において、前記第二発光素子１５を点灯したのち、ステップＳ６へ移行し、前記測定セル２の洗浄を実施する。前記電磁弁２２を開状態にすると、被測定水が洗浄水として、前記採水経路２１を経由して前記採水口２０から前記測定セル２内へ流入する。このとき、被測定水に含まれるゴミや濁質などの夾雑物は、前記フィルタ２４により除去される。また、前記測定セル２内へ流入する被測定水の流量は、前記定流量弁２３により制御される。前記測定セル２内へ連続的に流入する被測定水は、前回の測定に係る着色，もしくは発色した被測定水を押し出しながら前記測定セル２内を満たし、前記排水経路２６から系外へ連続的に排出される。このとき、前記電磁誘導コイルが通電され、それによって生じる磁場を前記攪拌子１８内の磁石（図示省略）が受ける。これにより、前記攪拌子１８が回転し、前記測定セル２内へ流入した被測定水が攪拌される。この結果、前記測定セル２内は、連続的に流入する新たな被測定水により置換されるとともに洗浄される。
【００３５】
この過程において、洗浄を開始したときから前記測定セル２を透過する青色光を前記第二受光素子１６で検出し、その透過光強度が所定値（たとえば、前記測定セル２内に蒸留水を貯留した場合の青色光の透過光強度に対して、その１０〜９０％に相当する範囲において任意に設定される値）になるまでの時間を測定する。つぎに、この時間に基づいて、被測定液の流量をあらかじめ前記ＲＯＭ３０に記憶されたデータから推定し、この推定された流量に応じて、一定量の被測定液が供給される所定時間を決定する。そして、この所定時間が経過するまで洗浄状態を保持する。
【００３６】
前記測定セル２の洗浄を開始して所定時間が経過すると、プログラムは、ステップＳ７へ移行し、洗浄確認準備を実施する。ここでは、前記電磁誘導コイルの通電を止め、被測定水の攪拌を停止する。
【００３７】
洗浄確認動作
前記洗浄動作が終了すると、プログラムは、ステップＳ８へ移行し、前記測定セル２を透過する青色光を前記第二受光素子１６で検出し、その透過光強度（Ａ）を測定する。続いて、ステップＳ９では、ステップＳ８で測定した透過光強度（Ａ）が、基準値（Ｂ）を超えるか否かを判断する。ここで、基準値（Ｂ）は、前記測定セル２内に蒸留水を貯留した場合の青色光の透過光強度に対して、その９０％以上に相当する範囲において任意に設定される値である。
【００３８】
ここで、透過光強度（Ａ）が基準値（Ｂ）以下のときは、前記測定セル２内に前回の測定に係る前記色素で赤色に着色された被測定水が残留しているか，もしくは前記測定セル２に青色光の透過を妨げる汚れがあると判断し、プログラムは、ステップＳ５へ戻り、前記洗浄動作から改めて実施する。一方、透過光強度が基準値（Ｂ）を超えるときは、前記測定セル２内が新たな被測定水で置換され，かつ前記測定セル２に汚れがないと判断し、プログラムは、ステップＳ１０へ移行する。
【００３９】
ステップＳ１０では、前記第二発光素子１５を消灯するとともに、前記第一発光素子１３を点灯する。そして、つぎのステップＳ１１おいて、前記測定セル２を透過する赤色光
を前記第一受光素子１４で検出し、その透過光強度（Ｃ）を測定する。続いて、ステップＳ１２において、ステップＳ１１で測定した赤色光の透過光強度（Ｃ）が、基準値（Ｄ）を超えるか否かを判断する。ここで、基準値（Ｄ）は、前記容器２内に蒸留水を貯留した場合の赤色光の透過光強度に対して、その９０％以上に相当する範囲において任意に設定される値である。
【００４０】
ここで、透過光強度（Ｃ）が基準値（Ｄ）以下のときは、前記測定セル２に赤色光の透過を妨げる汚れがあるか，もしくは被測定水に濁りがあると判断し、プログラムは、ステップＳ５へ戻り、前記洗浄動作から改めて実施する。一方、透過光強度（Ｃ）が基準値（Ｄ）を超えるときは、前記測定セル２に汚れがなく，かつ被測定水に濁りがないと判断し、プログラムは、ステップＳ１３へ移行する。
【００４１】
貯留動作
つぎに、ステップＳ１３において、プログラムは、被測定水の貯留動作を実施する。この動作では、前記電磁弁２２は、ステップＳ６〜Ｓ１２に引き続いて開状態のまま維持されており、被測定水が前記採水経路２１を経由して前記採水口２０から前記測定セル２内へ流入する。このとき、被測定水に含まれるゴミや濁質などの夾雑物は、前記フィルタ２４により除去される。また、前記測定セル２内へ流入する被測定水の流量は、前記定流量弁２３により制御される。前記測定セル２内へ連続的に流入する被測定水は、前記測定セル２内を満たしながら、前記排水経路２６から系外へ連続的に排出される。そして、この状態で前記電磁弁２２を閉状態にすると、前記測定セル２内への被測定水の流入が遮断され、前記測定セル２内に所定量（通常、４ミリリットル）の被測定水が貯留される。所定量の被測定水が貯留されると、プログラムは、ステップＳ１４へ移行する。
【００４２】
ステップＳ１４では、前記第一発光素子１３を消灯するとともに、前記第二発光素子１５を点灯する。そして、つぎのステップＳ１５において、前記測定セル２を透過する青色光を前記第二受光素子１６で検出し、その透過光強度（Ｅ）を測定する。この透過光強度（Ｅ）は、被測定水のブランク値として前記ＲＡＭ３１に記憶され、プログラムは、ステップＳ１６へ移行する。
【００４３】
ステップＳ１６では、前記第二発光素子１５を消灯するとともに、前記第一発光素子１３を点灯する。そして、つぎのステップＳ１７において、前記測定セル２を透過する赤色光を前記第一受光素子１４で検出し、その透過光強度（Ｆ）を測定する。この透過光強度（Ｆ）は、被測定水のブランク値として前記ＲＡＭ３１に記憶され、プログラムは、ステップＳ１８へ移行する。
【００４４】
薬注動作
ステップＳ１８において、プログラムは、薬液の注入を実施する。ここでは、前記電磁誘導コイルが通電され、前記測定セル２内に貯留された被測定水が攪拌される。そして、この状態を継続しながら、前記ローラポンプ１０を駆動させ、前記薬液供給経路１１を構成するチューブを所定回数扱くことにより、前記薬液貯蔵容器９から前記測定セル２内へ所定量の薬液を吐出させる。このようにして注入された薬液は、前記色素によって被測定水を赤色に着色させる。また、注入された薬液は、前記呈色試薬が残留塩素により酸化を受けると、被測定水を青緑色に発色させる。ここにおいて、薬液の全注入量は、表１に示した薬液を利用する場合、たとえば前記検量線に対応する０〜２mg／リットル（Ｃｌ２換算）の残留塩素濃度を測定するため、呈色試薬が不足しないように、２．５mg／リットルの残留塩素濃度（Ｃｌ２換算）と当量反応が可能な３０マイクロリットルに設定されている。薬液の注入を終了すると、前記ローラポンプ１０を停止させ、プログラムは、ステップＳ１９へ移行する。
【００４５】
注入確認工程
ステップＳ１９において、プログラムは、前記電磁誘導コイルへの通電を停止し、前記第一発光素子１３を消灯するとともに、前記第二発光素子１５を点灯する。そして、つぎのステップＳ２０おいて、前記測定セル２を通過する青色光を前記第二受光素子１６で検出し、その透過光強度（Ｇ），すなわち被測定水の着色度合を測定する。続いて、ステップＳ２１において、透過光強度（Ｇ）と前記ＲＡＭ３１に記憶されている透過光強度（Ｅ）との比（透過率：Ｇ／Ｅ）を求め、この透過率（Ｇ／Ｅ）が基準値（Ｈ）未満か否かを判断する。ここで、基準値（Ｈ）は、前記測定セル２内に蒸留水を貯留した場合の青色光の透過率を１００％として、この透過率の９０％以下に相当する範囲において任意に設定される透過率であり、表１に示した薬液を利用する場合、たとえば４５％に設定される。また、ステップＳ２１で求めた透過率（Ｇ／Ｅ）は、前記ＲＡＭ３１に記憶される。
【００４６】
ここで、透過率（Ｇ／Ｅ）が基準値（Ｈ）を超えるときは、被測定水が前記色素により赤色に着色されていないと判断する。すなわち、ステップＳ１８において、前記ローラポンプ１０の動作不良や前記薬液供給経路１１の詰まりなどにより、薬液が注入されていないか，もしくは注入量が不足していると判断する。このとき、プログラムは、ステップＳ２２へ移行し、前記ＬＣＤ３３に異常が発生した旨を表示するとともに、ブザー（図示省略）を鳴動させる。続くステップＳ２３においては、操作者が確認スイッチ（図示省略）を押したか否かを判断する。操作者が前記確認スイッチを押したことを認識すると、プログラムは、ステップＳ５へ戻り、前記洗浄動作から改めて実施する。
【００４７】
一方、ステップＳ２１において、透過率（Ｇ／Ｅ）が基準値（Ｈ）未満のときは、被測定水が前記色素により正常に赤く着色されたと判断する。すなわち、ステップＳ１８において、前記ローラポンプ１０が正常に作動し、薬液が正常に注入されたと判断する。このときは、プログラムは、ステップＳ２４へ移行する。
【００４８】
測定動作
ステップＳ２４において、プログラムは、前記第二発光素子１５を消灯するとともに、前記第一発光素子１３を点灯する。そして、つぎのステップＳ２５において、前記測定セル２を透過する赤色光を前記第一受光素子１４で検出し、その透過光強度（Ｉ），すなわち被測定水の発色度合を測定する。ここにおいて、透過光強度（Ｉ）を検出するタイミングは、呈色反応の速度が被測定水の水温により影響を受けることから、冬季などの低温条件（たとえば、５℃）においても、被測定水と薬液の反応が完結するタイミングに設定されている。具体的には、前記ローラポンプ１０を停止させてからの経過時間をカウントし、この経過時間が所定時間（たとえば、１〜５分の範囲から選択される時間）に達したとき、透過光強度（Ｉ）を検出する。続いて、ステップＳ２６において、透過光強度（Ｉ）と前記ＲＡＭ３１に記憶されている透過光強度（Ｆ）との比（透過率：Ｉ／Ｆ）を計算する。この計算が終了すると、プログラムは、ステップＳ２７へ移行する。
【００４９】
つぎに、ステップＳ２７において、プログラムは、ステップＳ２６で求めた測定波長６５５nmにおける透過率（Ｉ／Ｆ）から、あらかじめ前記ＲＯＭ３０に記憶された前記検量線に基づいて、前記演算部２７で被測定水の残留塩素濃度を０〜２mg／リットル（Ｃｌ２換算）の範囲で判定する。
【００５０】
ここで、測定波長６５５nmにおける透過率（Ｉ／Ｆ）は、測定可能とする残留塩素濃度の上限値未満では、残留塩素濃度の増加とともに低下する特性を示すが、測定可能とする残留塩素濃度の上限値を超えると、ある濃度を境に残留塩素濃度の増加とともに再び上昇する特性を示す。このため、ステップＳ２７では、被測定水の真の残留塩素濃度が測定可能範囲を大幅に超えていても、前記検量線に基づいて、測定可能範囲内の濃度を判定してしまう場合がある。そこで、この実施形態では、前記測定動作に続いて測定可能範囲確認
動作を実施し、測定波長の吸収挙動とは異なる吸収挙動を示す波長における透過率に基づいて、判定された残留塩素濃度が測定可能範囲内の値か否かの判断を行うようにしている。
【００５１】
測定可能範囲確認動作
さて、ステップＳ２７に続くステップＳ２８では、ステップＳ２１で求めた参照波長４７０nmにおける透過率（Ｇ／Ｅ）を前記ＲＡＭ３１から呼び出し、この透過率（Ｇ／Ｅ）が基準値（Ｊ）以上か否かを判断する。ここで、基準値（Ｊ）は、測定可能とする残留塩素濃度の上限値である２mg／リットル（Ｃｌ２換算）に調整された基準水の４ミリリットルに対し、表１に示した薬液の３０マイクロリットルを添加したときの波長４７０nmにおける透過率であり、たとえば１２％に設定される。参照波長４７０nmにおける透過率（Ｇ／Ｅ）は、測定可能とする残留塩素濃度の上限値未満では、残留塩素濃度の増加とともに低下する特性を示し、さらに測定可能とする残留塩素濃度の上限値を超えても、残留塩素濃度の増加とともに低下する特性を示す。
【００５２】
ここで、透過率（Ｇ／Ｅ）が基準値（Ｊ）未満のときは、被測定水の残留塩素濃度が測定可能範囲外であると判断する。すなわち、測定波長６５５nmにおける透過率（Ｉ／Ｆ）は、前記検量線の範囲内に入っていたが、参照波長４７０nmにおける透過率（Ｇ／Ｅ）は、測定可能とする残留塩素濃度の上限値を超える範囲に入っていることから、ステップＳ２７で得られた判定値が無効であると判断する。このとき、プログラムは、ステップＳ２９へ移行し、前記ＬＣＤ３３に被測定水の残留塩素濃度が測定可能範囲外である旨を表示したのち、再びステップＳ３へ戻る。
【００５３】
一方、ステップＳ２８において、透過率（Ｇ／Ｅ）が基準値（Ｊ）以上のときは、被測定水の残留塩素濃度が測定可能範囲内であると判断する。すなわち、測定波長６５５nmにおける透過率（Ｉ／Ｆ）は、前記検量線の範囲内に入っており，かつ参照波長４７０nmにおける透過率（Ｇ／Ｅ）は、測定可能とする残留塩素濃度の上限値未満の範囲に入っていることから、ステップＳ２７で得られた測定値が有効であると判断する。このとき、プログラムは、ステップＳ３０へ移行し、前記ＬＣＤ３３にステップＳ２７で判定された測定値を表示する。そして、プログラムは、再びステップＳ３へ戻る。
【００５４】
この実施形態では、呈色試薬にジアルキルベンジジン化合物，あるいはテトラアルキルベンジジン化合物を用いる場合について説明したが、他の呈色試薬を利用することもできる。すなわち、この実施形態に係る発明は、残留塩素と反応したときに、少なくとも２つ以上の吸収ピークが存在し，かつこれらの吸収ピークが残留塩素濃度との間に異なる吸収挙動を示す呈色試薬を利用する場合に広く適用できる。また、この実施形態に係る発明は、残留塩素と反応したときに、１つの吸収ピークおよび残留塩素濃度によって吸収が変化する波長が存在し、かつこれらの吸収ピークおよび吸収が残留塩素濃度との間に異なる吸収挙動を示す呈色試薬を利用する場合においても適用できる。ここにおいて、異なる吸収挙動とは、たとえば残留塩素濃度の増加とともに、第一の吸収が低下する一方で、第二の吸収が上昇するような挙動を云う。あるいは、たとえば残留塩素濃度の増加とともに、第一の吸収が上昇する一方で、第二の吸収が低下するような挙動を云う。
【００５５】
以上説明したように、この実施形態によれば、被測定水の残留塩素濃度が測定可能範囲を超えている場合に、誤った測定値の出力を回避することができる。この結果、被測定水の残留塩素濃度が真に測定可能範囲内の場合にのみ測定値が出力されることになり、測定値の信頼性が確保される。
【実施例】
【００５６】
（測定可能範囲内外に対する透過率特性）
次亜塩素酸ナトリウム水溶液へ０．００２mol／リットルの過マンガン酸カリウム溶液を添加し、表２に示す１６種類の残留塩素濃度（それぞれＣｌ２換算）の被測定水を調製した。そして、この被測定水４０ミリリットルへ表１に記載した薬液３００マイクロリットルを攪拌しながら添加し、室温で３０分間静置して呈色反応を完結させた。ちなみに、薬液に含まれるジアルキルベンジジン化合物は、２．５mg／リットルの残留塩素濃度（Ｃｌ２換算）と当量反応が可能な量である。つぎに、発色した被測定水を分光光度計（株式会社日立製作所製Ｕ−２０１０，石英セル長：１０mm）にセットし、温度２５℃における波長４７０nmおよび波長６５５nmの透過率並びに吸光度を測定した。結果を表２に示す。また、図６および図７は、表２の結果をグラフ化したものであり、それぞれ被測定水の残留塩素濃度に対して、透過率または吸光度をプロットしたものである。
【００５７】
【表２】
2007093398.tif 000004
【００５８】
図６によれば、前記残留塩素濃度測定装置１の測定波長である６５５nmの透過率は、残留塩素濃度４mg／リットルまでは、残留塩素濃度の増加とともに低下し、また残留塩素濃度４mg／リットルからは、残留塩素濃度の増加とともに上昇した。さらに、残留塩素濃度８mg／リットル付近では、透過率が１００％近くまで上昇した。ここにおいて、図７によれば、波長６５５nmの吸光度は、残留塩素濃度２．５mg／リットルまでは、残留塩素濃度に比例して増加しており、当量反応が起こっていることが確認された。一方、前記残留塩素濃度測定装置１の参照波長である４７０nmの透過率は、残留塩素濃度５mg／リットルまでは、残留塩素濃度の増加とともに低下し、また残留塩素濃度５mg／リットルからは、ほぼ０％となった。ここにおいて、残留塩素濃度０mg／リットル付近において、透過率が１００％（吸光度が０）ではないが、これはニューコクシンによる着色に起因するものである。
【００５９】
以上の結果から、被測定水の残留塩素濃度が測定可能範囲を超えている場合に、測定波長６５５nmにおける透過率が残留塩素濃度の増加とともに上昇するような特性を示す一方で、参照波長４７０nmにおける透過率が残留塩素濃度の増加とともに低下する特性を示すことが確認された。したがって、測定波長６５５nmにおける透過率から求められた測定値は、参照波長４７０nmにおける透過率に基づいて、測定可能範囲内の値か否かを判断することが可能である。
【図面の簡単な説明】
【００６０】
【図１】残留塩素濃度測定装置の概略構成を示す縦断面図。
【図２】残留塩素濃度測定装置における制御器の概略構成を示すブロック図。
【図３】残留塩素濃度測定装置の動作を示すフローチャート。
【図４】残留塩素濃度測定装置の動作を示すフローチャート。
【図５】残留塩素濃度測定装置の動作を示すフローチャート。
【図６】波長４７０nmおよび６５５nmにおける残留塩素濃度に対する透過率を示す図。
【図７】波長４７０nmおよび６５５nmにおける残留塩素濃度に対する吸光度を示す図。
【符号の説明】
【００６１】
１  残留塩素濃度測定装置（測定装置）
２  測定セル
３  薬注部
４  第一投受光部
５  第二投受光部
２７  演算部
【図１】
2007093398.tif 000005
【図２】
2007093398.tif 000006
【図３】
2007093398.tif 000007
【図４】
2007093398.tif 000008
【図５】
2007093398.tif 000009
【図６】
2007093398.tif 000010
【図７】
2007093398.tif 000011